(57)【要約】      （修正有）【課題】  薄型表示装置などの電子機器の螺着作業において、螺子部品の省材化と螺着作業の省人化を図ると共に、適切な種類の螺子を適用するための指示手段を提供する。【解決手段】液晶テレビなどの薄型表示装置において、該光学システムユニット１０と一体に形成された取り付けブラケット１６の第２の取り付けタブ１６ｂを前キャビネット１および後ろキャビネットに挟持し、該取り付けタブ１６ｂおよび該後ろキャビネットを前キャビネット１に共締めする。また、共締めをしない該光学システムユニット１０の第１の取り付けタブ１６ａの螺子挿通孔１６ｃの近傍に螺着箇所であることを作業者に明示すると共に適用すべき螺子の種類を明示した表示マーク１６ｅを配設する。または、共締めをする該光学システムユニット１０の第２の取り付けタブ１６ｂの螺子挿通孔１６ｄの近傍に螺着箇所でないことを作業者に明示する表示マークを配設する。【選択図】  図６
2007333911.tif 000002
【特許請求の範囲】
【請求項１】
複数の部材を螺子による共締めで固定する箇所を有する構造において、共締めの際に中間に位置する部材に螺子締めしないことを意味する表示を行うことを特徴とする、共締め箇所を有する構造の表示方法。
【請求項２】
複数の部材を螺子による共締めで固定する箇所を有する構造において、共締めの際に中間に位置する部材の共締め用の螺子挿通孔近傍に螺子締めしないことを意味する表示を行うことを特徴とする、共締め箇所を有する構造の表示方法。
【請求項３】
複数の部材を螺子による共締めで固定する箇所を有する構造において、共締めの際に中間に位置する部材に螺子締め箇所と共締め箇所を有する場合、螺子締め箇所の螺子挿通孔近傍に螺子締めすることを意味する表示を設け、共締め箇所には螺子締めに関する表示をしないことを特徴とする、共締め箇所を有する構造の表示方法。
【請求項４】
複数の部材を螺子による共締めで固定する箇所を有する構造において、共締めの際に中間に位置する部材に螺子締め箇所と共締め箇所を有する場合、螺子締め箇所の共締め用の螺子挿通孔近傍に螺子締めしないことを意味する表示を設け、共締め箇所には螺子締めに関する表示をしないことを特徴とする、共締め箇所を有する構造の表示方法。
【請求項５】
複数の部材を螺子による共締めで固定する箇所を有する構造において、共締めの際に中間に位置する部材に螺子締め箇所と共締め箇所を有する場合、螺子締め箇所の螺子挿通孔近傍に螺子締めすることを意味する表示を設け、共締め箇所の共締め用の螺子挿通孔近傍に螺子締めしないことを意味する表示をすることを特徴とする、共締め箇所を有する構造の表示方法。
【請求項６】
前キャビネットと、後ろキャビネットと、少なくとも薄型表示素子を含み構成される光学システムユニットとを構成要素とする薄型表示装置において、該光学システムユニットの取り付けブラケットを前キャビネットおよび後ろキャビネットに挟持した状態で共締め固定されることを特徴とする薄型表示装置。
【請求項７】
請求項６記載の薄型表示装置において、前キャビネットへの光学システムユニット係止用として、該光学システムユニットと一体に形成した取り付けブラケットの第１の取り付けタブを具備すると共に、該前キャビネットと後ろキャビネットに挟持され、且つ該後ろキャビネットと共締めされる第２の取り付けタブを具備したことを特徴とする薄型表示装置。
【請求項８】
請求項７記載の薄型表示装置において、前キャビネットへの光学システムユニット係止用として該光学システムユニットと一体に形成した取り付けブラケットの第１の取り付けタブに配設された螺子挿通孔近傍に、該前キャビネットへ該光学システムユニットを螺子締めすることを意味する表示を設け、且つ該前キャビネットと後ろキャビネットに挟持され共締めされる第２の取り付けタブの螺子挿通孔近傍には非表示としたことを特徴とする薄型表示装置。
【請求項９】
請求項７記載の薄型表示装置において、前キャビネットと後ろキャビネットに挟持され共締めされる第２の取り付けタブの螺子挿通孔近傍には該前キャビネットへの螺子締めをしないことを意味する表示を設け、且つ該前キャビネットへの光学システムユニット係止用として該光学システムユニットと一体に形成した取り付けブラケットの第１の取り付けタブに配設された螺子挿通孔近傍には非表示としたことを特徴とする薄型表示装置。
【請求項１０】
請求項７記載の薄型表示装置において、前キャビネットへの光学システムユニット係止用として該光学システムユニットと一体に形成した取り付けブラケットの第１の取り付けタブに配設された螺子挿通孔近傍に、該前キャビネットへ該光学システムユニットを螺子締めすることを意味する表示を設け、且つ該前キャビネットと後ろキャビネットに挟持され共締めされる第２の取り付けタブの螺子挿通孔近傍には該前キャビネットへの螺子締めをしないことを意味する表示を設けたことを特徴とする薄型表示装置。
【発明の詳細な説明】
【技術分野】
【０００１】
本発明は、液晶表示パネルやプラズマディスプレイパネルなどを画面表示素子とした大型表示画面を具備する薄型表示装置の組み立て作業および補修点検に伴う再組み立て作業の改善手段に関する。
【背景技術】
【０００２】
電子機器等の補修点検のための外装筐体分解時に、多数の該筐体組み立て用の螺子を抜去した場合に該螺子の一部を紛失することがあり、または異なる複数種類の螺子が使用されている場合には、補修点検作業終了後の該筐体の再組み立て時に、異なる種類の螺子を適切に区分使用せず不用意に混用し、例えば過大な螺子径の螺子の誤用により被締結物の螺子孔を損傷し、または長すぎる螺子の先端を機器内部に貫通させ、さらには活電部に接触させ、筐体外に露出した該螺子の金属部に人体が触れ致命的な感電事故を惹起する原因となる危険をもはらんでいる。また、複数の部材を１つの螺子で共締めする場合は、適正な指示が無ければ、共締めすべき部材が抜けた状態で螺子締めがされてしまい、正しい組み立がなさらない場合が発生する。
【０００３】
上記状況に鑑み、一般的にはサービス用のマニュアル等の組み立て順を記載した資料をもとに再組み立ての作業が行われるが、例えばサービス用の資料が手元にない場合でも誤りの無い作業ができる提案として、特許文献１等が開示されている。特許文献１においては、電子機器等の補修点検時に分解し取り外した筐体裏面に該電子機器の絵表示部を設け、該絵表示部周囲に取り外した螺子を格納する格納部を螺子毎に設け、これらの格納部と表示部に描かれた螺子取り付け部とを対応させるようにし、さらには該格納部には格納される螺子の種類を表示する発明がなされている。
【特許文献１】特開平４−３６１５９１号公報
【発明の開示】
【発明が解決しようとする課題】
【０００４】
前記特許文献１による発明では、電子機器等から取り外した外装筐体の裏面に絵表示部を設け、該絵表示部周囲に取り外した螺子を格納する格納部を螺子毎に設け、これらの格納部と表示部に描かれた螺子取り付け部とを対応させるようにし、さらには該格納部には格納される螺子の種類を表示するとしているが、該外装筐体の再組み立て時には、取り外した該外装筐体は該電子機器を覆う状態となるために、該外装筐体を取付ける際には該外装筐体の裏面側に設けられた絵表示部は視認不可能である。さらに、螺子で共締めする作業がある場合は、作業の方法に関しても記載することは可能と思われるが、細かな注意事項を記載することになり、記載内容の視認性の低下等による作業効率の低下も懸念される。
【課題を解決するための手段】
【０００５】
本発明は、複数の部材を螺子による共締めで固定する箇所を有する構造において、共締めの際に中間に位置する部材に螺子締めしないことを意味する表示を行うことを特徴とする。
【０００６】
また本発明は、複数の部材を螺子による共締めで固定する箇所を有する構造において、共締めの際に中間に位置する部材の共締め用の螺子挿通孔近傍に螺子締めしないことを意味する表示を行うことを特徴とする。
【０００７】
また本発明は、複数の部材を螺子による共締めで固定する箇所を有する構造において、共締めの際に中間に位置する部材に螺子締め箇所と共締め箇所を有する場合、螺子締め箇所の螺子挿通孔近傍に螺子締めすることを意味する表示を設け、共締め箇所には螺子締めに関する表示をしないことを特徴とする。
【０００８】
また本発明は、複数の部材を螺子による共締めで固定する箇所を有する構造において、共締めの際に中間に位置する部材に螺子締め箇所と共締め箇所を有する場合、螺子締め箇所の共締め用の螺子挿通孔近傍に螺子締めしないことを意味する表示を設け、共締め箇所には螺子締めに関する表示をしないことを特徴とする。
【０００９】
また本発明は、複数の部材を螺子による共締めで固定する箇所を有する構造において、共締めの際に中間に位置する部材に螺子締め箇所と共締め箇所を有する場合、螺子締め箇所の螺子挿通孔近傍に螺子締めすることを意味する表示を設け、共締め箇所の共締め用の螺子挿通孔近傍に螺子締めしないことを意味する表示をすることを特徴とする。
【００１０】
また本発明は、前キャビネットと、後ろキャビネットと、少なくとも薄型表示素子を含み構成される光学システムユニットを構成要素とする液晶テレビなどの薄型表示装置において、該光学システムユニットの取り付けブラケットを前キャビネットおよび後ろキャビネットにより挟持され共締め固定される構造をとる。
【００１１】
前記薄型表示装置において、前キャビネットへの光学システムユニット係止用として該光学システムユニットと一体に形成した取り付けブラケットに第１の取り付けタブを配設すると共に、該前キャビネットと該後ろキャビネットの間に挟持され、且つ該後ろキャビネットと共締めされるよう配設された第２の取り付けタブを該取り付けブラケットに配設する。
【００１２】
前記薄型表示装置において、前キャビネットへの光学システムユニット係止用として該光学システムユニットと一体に形成した取り付けブラケットの第１の取り付けタブに配設された螺子挿通孔近傍に、該前キャビネットへ該光学システムユニットを螺子締めすることを意味する表示を設け、且つ該前キャビネットと後ろキャビネットに挟持され共締めされる第２の取り付けタブの螺子挿通孔近傍には非表示としたことを特徴とする。
【００１３】
前記薄型表示装置において、前キャビネットと後ろキャビネットに挟持され共締めされる第２の取り付けタブの螺子挿通孔近傍には該前キャビネットへの螺子締めをしないことを意味する表示を設け、且つ該前キャビネットへの光学システムユニット係止用として該光学システムユニットと一体に形成した取り付けブラケットの第１の取り付けタブに配設された螺子挿通孔近傍には非表示としたことを特徴とする。
【００１４】
前記薄型表示装置において、前キャビネットへの光学システムユニット係止用として該光学システムユニットと一体に形成した取り付けブラケットの第１の取り付けタブに配設された螺子挿通孔近傍に、該前キャビネットへ該光学システムユニットを螺子締めすることを意味する表示を設け、且つ該前キャビネットと後ろキャビネットに挟持され共締めされる第２の取り付けタブの螺子挿通孔近傍には該前キャビネットへの螺子締めをしないことを意味する表示を設けたことを特徴とする。
【発明の効果】
【００１５】
多く機器は、複数の部材が組み合わされて構成されており、複数の部材間での位置合わせのためや、単純な作業性の改善のために複数の部材の螺子締め孔の軸を一にして重ね合わせて共締めによる固定が多く用いられる。特に薄型の装置の場合には、螺子の頭部の高さが重なった場合には、薄型化の制限になってしまうことになり、螺子締めの軸が近い場合には、極力軸を合わせて共締めにより薄型化が図られる。このように共締め作業を有する構造の場合に、部材を重ねて組立てる場合に、どの作業工程で螺子締めすべきかが判らずに不要な作業の繰返しや場合によっては、機器の不良に繋がってしまう場合がある。本発明は、各部材に螺子締め要否に関する表示を行うことで、組立作業の誤りを防ぐことができる。
【００１６】
液晶テレビなどの薄型表示装置において、相対的に大型で質量の大きい構成部分である光学システムユニットを支持するバックライトシャーシと一体に形成された取り付けブラケット、および該取り付けブラケットと一体に形成された複数の取り付けタブの内の第１の取り付けタブを前キャビネットへの該光学システムユニットの仮係止用とし、また該取り付けブラケットと一体に形成された第２の取り付けタブを該前キャビネットおよび後ろキャビネット間に挟持させ、共通の螺子により該第２の取り付けタブを介し、該光学システムユニットおよび該後ろキャビネットを該前キャビネットに共締めすることにより螺子部品の省材化と螺着作業の省人化を実現することを可能とする。
【００１７】
前キャビネットへの該光学システムユニットの係止用としての第１の取り付けタブには、係止用の螺子締めが必要である旨の表示をすることにより螺着作業者に螺着作業の適用箇所であることを明示する。しかしながら、前キャビネットおよび後ろキャビネット間に挟持させ、共通の螺子により該光学システムユニットおよび該後ろキャビネットを該前キャビネットに共締めする第２の取り付けタブには非表示とすることにより、螺着作業者が過誤の螺着作業をすることを未然に防止することが可能となる。また、第２の取り付けタブに螺子締めをしない旨の表示をして、第１の取り付けタブには非表示とする方法や、第１の取り付けタブには、係止用の螺子締めが必要である旨の表示を行い、第２の取り付けタブには螺子締めをしない旨の表示をすることで、同様に、過誤の螺着作業をすることを未然に防止することが可能となる。
【発明を実施するための最良の形態】
【００１８】
以下、図に基づき本発明の実施形態を液晶テレビに適用した場合に関し説明する。図１は液晶テレビの前面斜視図である。図１において、１は前キャビネット、２は後ろキャビネット、３は該液晶テレビを卓上型として使用する場合のスタンド、４は画像表示のための液晶表示パネルである。
【００１９】
次に、図２の分解斜視図に基づき液晶テレビ内部の光学システムユニット１０の構成を説明する。液晶表示パネル４の背面側には、液晶表示画面の高輝度化や面輝度均一化などの画像品位改善のため、光反射、偏光、屈折、光拡散などの高度な光制御技術を利用し表面に多数のマイクロレンズアレイを形成するなどの手段を施した複数枚のフィルム状の光学シートセット１１が配設されている。さらに該光学シートセット１１の後方には該光学シートセット１１および該液晶表示パネル４の背面に光照射をするためのバックライトユニット１５が配設されている。該バックライトユニット１５には光拡散板１２と共にバックライトシャーシ１４内部に多数の発光管１３が配設されている。
【００２０】
図３は本発明の第１の実施形態を示し、後ろキャビネット２（図示せず）を前キャビネット１に取り付けていない状態における、前キャビネット１背面の右上コーナー部の斜視図である。液晶テレビの構成要素である光学システムユニット１０は、図２に示すごとく液晶表示パネル４やバックライトユニット１５などの相対的に大型で質量の大きい構成部分が、バックライトシャーシ１４により支持されており、該光学システムユニット１０は図３に示す該バックライトシャーシ１４と一体に形成された取り付けブラケット１６を介して、該前キャビネット１に螺着され係止されている。
【００２１】
図３に示す前キャビネット１の背面周辺部には複数のボスが該前キャビネット１と一体に形成されている。複数の該ボスの内の第１のボス１ａの軸中心部には第１の螺子孔（図示せず）が穿設され、該第１の螺子孔の軸中心には光学システムユニット１０と一体に形成された取り付けブラケット１６の第１の取り付けタブ１６ａに配設された第１の螺子挿通孔１６ｃが整合され、第１の螺子６により該光学システムユニット１０が前キャビネット１に螺着され仮係止される。
【００２２】
しかしながら、図３中に示す光学システムユニット１０と一体に形成された取り付けブラケット１６の第１の取り付けタブ１６ａと同様構成の第２の取り付けタブ１６ｂの螺子挿通孔１６ｄには後ろキャビネット２が取付かない状態では螺子を挿通せず、従って該第２の取り付けタブ１６ｂを前キャビネット１と一体に形成した第２のボス１ｂに螺着しない。
【００２３】
次に、図４は、本発明の実施形態に係わる液晶テレビの背面図で、後ろキャビネット２の周辺部分には、該後ろキャビネット２を前キャビネット1（図示せず）に螺着し係止するための複数の螺子挿通孔２ａが配設されている。
【００２４】
図４中に鎖線Ａ−Ａで示す切断線に沿って切断した縦断面図である図５の（ａ）に示すごとく、後ろキャビネット２を前キャビネット１の所定位置に整合させ、該後ろキャビネット２の周辺部分に配設された螺子挿通孔２ａに第２の螺子７により、後ろキャビネット２を前キャビネット１に係止している。同時に光学システムユニット１０と一体に形成された取り付けブラケット１６の第２の取り付けタブ１６ｂが前キャビネット１の第２のボス１ｂおよび後ろキャビネット２との間に挟持され、該第２の螺子７により共締めされるため、螺子の使用点数の削減による省材化と螺着作業の省力化を実現することが可能となる。
【００２５】
一方、図４中に鎖線Ｂ−Ｂで示す切断線に沿って切断した縦断面図は図５の（ｂ）で表され、図３を基に前記で説明の、第１のボス１ａと、取り付けブラケット１６の第１の取り付けタブ１６ａとが第１の螺子６により該光学システムユニット１０が前キャビネット１に螺着されている状態が表されている。
【００２６】
図６は、本発明の第２の実施形態を示し、作業者に第１の取り付けタブ１６ａが、螺着箇所であることを明示するために、第１の取り付けタブ１６ａの第１の螺子挿通孔１６ｃの近傍には「矢印」の表示マーク１６ｅを打刻している。しかしながら該作業者に螺着箇所でないことを認識させるため、第２の取り付けタブ１６ｂには非表示としている。図６では説明のために表示マーク１６ｅを「矢印」の刻印としているが、絵表示や螺子の呼び径と長さを表現する数字を併設し、上記の表示内容を捺印、またはラベル張着などの表示手段も好適であり、表示マーク１６ｅは「矢印」であることや、打刻する手段のみには限定されない。
【００２７】
図６に示すごとく、前キャビネット１に後ろキャビネット２（図示せず）を装着する以前の状態において、第２の取り付けタブ１６ｂの第２の螺子挿通孔１６ｄに、誤って螺子が適用された場合、図５に示すごとく、その後に前キャビネット１に後ろキャビネット２を整合させ、第２の取り付けタブ１６ｂおよび後ろキャビネット２を第２の螺子１７により前キャビネット１に共締めすることが不可能となる不具合が発生する。
【００２８】
図７は、本発明の第３の実施形態を示し、作業者に第２の取り付けタブ１６ｂが、後ろキャビネット２を取付ける前の状態では螺着しないことを明示するために、第２の取り付けタブ１６ｂの第２の螺子挿通孔１６ｄの近傍には「×印」の表示マーク１６ｆを打刻している。しかしながら該作業者に螺着箇所であることを認識させるため、第１の取り付けタブ１６ａには非表示としている。図７では説明のために表示マーク１６ｆを「×印」の刻印としているが、進入禁止マーク等の禁止を意味する絵表示も可能であり、また、上記の表示内容を捺印、またはラベル張着などの表示手段も好適であり、表示マーク１６ｆは「×印」であることや、打刻する手段のみには限定されない。
【００２９】
図７に示すごとく、前キャビネット１に後ろキャビネット２（図示せず）を装着する以前の状態において、第２の取り付けタブ１６ｂの第２の螺子挿通孔１６ｄに、誤って螺子が適用された場合、図５に示すごとく、その後に前キャビネット１に後ろキャビネット２を整合させ、第２の取り付けタブ１６ｂおよび後ろキャビネット２を第２の螺子１７により前キャビネット１に共締めすることが不可能となる不具合が発生する。
【００３０】
前記不具合の発生を未然に防止するため、図６や図７を用いて説明した実施の形態として示すごとく、第１の螺子６により光学システムユニット１０を前キャビネット１に螺着するための第１の取り付けタブ１６ａの螺子挿通孔１６ｃの近傍に、例えば「矢印」を刻印、捺印、またはラベル張着などの手段により螺着箇所であることを示す表示マーク１６ｅを表示する一方、同様構造を有する第２の取り付けタブ１６ｂの螺子挿通孔１６ｄには何等の表示をしない方法や、第２の取り付けタブ１６ｂの螺子挿通孔１６ｄの近傍に、例えば「×印」を刻印、捺印、またはラベル張着などの手段により螺着しない箇所であることを示す表示マーク１６ｆを表示する一方、同様構造を有する第１の取り付けタブ１６ａの螺子挿通孔１６ｃには何等の表示をしないことにより螺着作業の適用箇所でないことを作業者が容易に識別することが可能となり、前記の不具合発生を未然に防止することが出来る。
【００３１】
なお、表示箇所が増えることにはなるが、図６で説明の「矢印」と、図７で説明の「×印」をそれぞれの箇所に表示することも可能であり、同様の効果を得ることは当然である。また、実施の形態として、前キャビネット１と後ろキャビネット２と取り付けブラケット１６の螺着において、取り付けブラケット１６に、前キャビネット１と螺着される箇所と、前キャビネット１と後ろキャビネット２の間に狭持されて後ろキャビネット２側から螺子により共締めされる箇所が共存し、組立作業に誤りが生じ易いために特に効果的な事例として説明したが、例えば、取り付けブラケットの螺着が全て共締めで行われる場合に、取り付けブラケットの所定の位置に「取り付けブラケットの全ての箇所から螺子締めは無い」旨の表示、または全ての螺子挿通孔近傍に「×印」等の螺着禁止表示を設けることや、３つの部材の共締めに限らず、４つ以上の部材の共締めの際に、中間に狭持される複数の部材の全てに螺着禁止表示を行う場合や、螺着される箇所と共締めされる箇所が共存する部材に対してのみ選択的に螺着要否表示を行うことも可能である。
【図面の簡単な説明】
【００３２】
【図１】本発明の実施形態に係わる液晶テレビの前面斜視図である。
【図２】本発明の実施形態に係わる液晶テレビ内部の光学システムユニットの構成を説明する分解斜視図である。
【図３】取り付けブラケットを介して前キャビネットへの光学システムユニットの係止手段を示す斜視図である。
【図４】本発明の実施形態に係わる液晶テレビの背面図である。
【図５】図４中に鎖線A-Aで示す切断線に沿って切断した本発明の第１の実施形態を示す縦断面図である。
【図６】作業者に螺着箇所であることを明示した第１の取り付けタブ、および螺着箇所でないことを識別させるために非表示とした第２の取り付けタブを示す斜視図である。
【図７】作業者に螺着しない箇所であることを明示した第２の取り付けタブ、および螺着箇所であることを識別させるために非表示とした第１の取り付けタブを示す斜視図である。
【符号の説明】
【００３３】
１：  前キャビネット
１ａ：  第１のボス
１ｂ：  第２のボス
１ｄ：  第２の螺子孔
２：  後ろキャビネット
２ａ：  螺子挿通孔
３：  スタンド
４：  液晶表示パネル
６：  第１の螺子
７：  第２の螺子
１０：  光学システムユニット
１１：  光学シートセット
１２：  光拡散板
１３：  発光管
１４：  バックライトシャーシ
１５：  バックライトユニット
１６：  取り付けブラケット
１６ａ：  第１の取り付けタブ
１６ｂ：  第２の取り付けタブ
１６ｃ：  第１の螺子挿通孔
１６ｄ：  第２の螺子挿通孔
１６ｅ：  表示マーク
１６ｆ：  表示マーク
【図１】
2007333911.tif 000003
【図２】
2007333911.tif 000004
【図３】
2007333911.tif 000005
【図４】
2007333911.tif 000006
【図５】
2007333911.tif 000007
【図６】
2007333911.tif 000008
【図７】
2007333911.tif 000009